(57)【要約】【課題】可撓性ホースの使いやすさを向上させた電気掃除機を提供することを目的とする。【解決手段】本発明に係る電気掃除機は、環状又は螺旋状の凹部１と凸部２が外表面上に一体成形されると共に、凸部の材料は凹部の材料に比べ硬度が硬い材料で構成して摩擦を低減し、可撓性ホースには、掃除機本体と接続するための接続管端部を可撓性ホースに向かって細くなるテーパー形状で構成したことにより、折り曲げ自在でかつ床面や家具とのすべり性が向上する。【選択図】  図１１
2013233368.tif 000002
【特許請求の範囲】
【請求項１】
吸込体および可撓性ホースと掃除機本体を備えた電気掃除機において、
前記可撓性ホースは、外表面を環状又は螺旋状の凹凸で構成し、前記外表面の凸部の材料は凹部の材料に比べ硬度が硬い材料で構成するとともに、
前記可撓性ホースには、掃除機本体と接続するための接続管を備え、前記接続管端部の形状が可撓性ホースに向かって細くなるテーパー形状であることを特徴とする電気掃除機。
【請求項２】
請求項１に記載の電気掃除機において、
前記可撓性ホースの凸部と凹部は二重押出し成形からなることを特徴とする電気掃除機。
【請求項３】
請求項１もしくは請求項２に記載の電気掃除機において、
前記可撓性ホースの凸部表面は凹部表面に比べて摩擦係数が小さいことを特徴とする電気掃除機。
【請求項４】
請求項１から３に記載の電気掃除機において、
前記可撓性ホースの凸部材料は潤滑性を有することを特徴とする電気掃除機。
【請求項５】
請求項１から４何れか一項に記載の電気掃除機において、
前記可撓性ホースおよび前記接続管の中心が一直線上に構成するとともに
前記接続管を前記掃除機本体に対して回転可能としたことを特徴とする電気掃除機。
【発明の詳細な説明】
【技術分野】
【０００１】
本発明は、電気掃除機に関する。
【背景技術】
【０００２】
電気掃除機は、一般に電動送風部と集塵部と移動用の車輪を有する掃除機本体と、吸口体と、掃除機本体及び吸口体を連結する可撓性ホースを含むホース体と、から構成される。このような本体と吸口体とが分離した電気掃除機においては、電気掃除機の扱いやすさや性能向上という観点から可撓性ホースの構造及び材質も重要な要素となっている。
【０００３】
なかでも、電気掃除機の性能のひとつに挙げられる吸引力の向上に重要な役割を果たすホース体として、特許文献１に示される、長さ方向の圧縮力や曲げ圧力に抗して、管内方向に均等に折れ曲がり、歪み変形を生じることのないホースが知られている。
【先行技術文献】
【特許文献】
【０００４】
【特許文献１】特許第４０２２８０８号公報
【発明の概要】
【発明が解決しようとする課題】
【０００５】
ところで、掃除機本体と吸口体とが分離した電気掃除機の使用の際は、電気掃除機本体を床面上に置くと共に、吸口体を装着した延長管や可撓性ホース等を動かして床面上の塵や埃等を吸引することが多い。
【０００６】
しかし、特許文献１に示されるホースは、吸引力の増加により電気掃除機の性能の向上を可能とするものの、表面形状や構造等についてなんら考慮されていない。このため、特許文献１に示されるホースを電気掃除機に使用した場合には、吸口体と本体との距離が離れるに従い、ホースと床面、家具や柱との接触部位及び接触面積が増加して、電気掃除機の操作に必要な力が増加することにより電気掃除機の操作性が低下していた。
【０００７】
本発明は、このような点に鑑みて、電気掃除機用の可撓性ホースを利用する物品の使いやすさを提供することを課題とする。
【課題を解決するための手段】
【０００８】
即ち、本発明に係る電気掃除機は、吸込体および可撓性ホースと掃除機本体を備えた電気掃除機において、可撓性ホースは、外表面を環状又は螺旋状の凹凸で構成し、外表面の凸部の材料は凹部の材料に比べ硬度が硬い材料で構成するとともに、可撓性ホースには、掃除機本体と接続するための接続管を備え、接続管端部の形状が可撓性ホースに向かって細くなるテーパー形状であることを特徴とする。
【発明の効果】
【０００９】
本発明の構成によれば、可撓性ホースと床面や家具等との摩擦やひっかかりが軽減されるため、可撓性ホースの使い勝手が向上し、使いやすい電気掃除機を提供できる。
【図面の簡単な説明】
【００１０】
【図１】一実施例に係る可撓性ホースの模式図。
【図２】図１の破線に囲まれた部分の可撓性ホースの拡大断面図。
【図３】一実施例に係る可撓性ホースの（ａ）側面図、及び、（ｂ）断面図。
【図４】一実施例に係る可撓性ホースの変形例の（ａ）側面図、及び、（ｂ）断面図。
【図５Ａ】一実施例に係る可撓性ホースを備えた電気掃除機。
【図５Ｂ】一実施例に係る可撓性ホースを備えたホース体。
【図６】一実施例に係る電気掃除機の使用態様。
【図７】一実施例に係る電気掃除機の使用態様。
【図８】一実施例に係る電気掃除機の使用態様。
【図９】一実施例に係る電気掃除機の使用態様。
【図１０】一実施例に係る電気掃除機の使用態様。
【図１１】一実施例に係るホース体の変形例。
【図１２】一実施例に係るホース体の変形例。
【図１３】一実施例に係るホース体の変形例。
【発明を実施するための形態】
【００１１】
次に、本発明の一実施例の電気掃除機について、図面を適宜参照して詳細に説明する。
【００１２】
図１において、本実施例に係る可撓性ホースＨの模式図を示す。図１に示す様に、本実施例に係る可撓性ホースＨは、凹部１と凸部２が一体成形された合成樹脂製管状体である。この可撓性ホースＨは、凹部１と凸部２とを交互に連続して備えると共に、折り曲げ自在である。そして、この可撓性ホースＨは、所定の合成樹脂を押出成形することにより作製される。
【００１３】
以下、各構成要素について説明する。
【００１４】
（合成樹脂）
本実施例において、凹部１に用いられる合成樹脂としては、例えば、オレフィン系樹脂（ポリプロピレン樹脂、ポリエチレン樹脂等）、ウレタン系樹脂、軟質塩化ビニル樹脂、熱可塑性エラストマ（オレフィン系熱可塑性エラストマ、スチレン系熱可塑性エラストマ、変性スチレン系熱可塑性エラストマ、熱可塑性ウレタン系エラストマ（ＴＰＵ）、水素添加スチレンブタジエンラバー（ＨＳＢＲ）等）、及び、これらの混合物などの軟質系樹脂が挙げられる。又、前記混合物の例としては、ポリエチレン樹脂とエチレン酢酸ビニル樹脂（ＥＶＡ樹脂）とからなるコポリマー樹脂が挙げられる。
【００１５】
その中でも、成形後のショア硬度（ＨＳ硬度）（ＪＩＳ  Ｋ  ６２５３）は５０〜７０度の合成樹脂が好ましい。これにより、可撓性ホースＨの可撓性を適度に保持することが可能となる。
【００１６】
なお、本実施例において、凹部１に用いられる合成樹脂は、前記合成樹脂に限らず、押出成形が可能である合成樹脂であれば任意のものが使用可能である。
【００１７】
本実施例において、凸部２を構成するのに用いられる合成樹脂としては、例えば、オレフィン系樹脂（ポリプロピレン樹脂、ポリエチレン樹脂等）、ウレタン系樹脂、軟質塩化ビニル樹脂、熱可塑性エラストマ（オレフィン系熱可塑性エラストマ、スチレン系熱可塑性エラストマ、変性スチレン系熱可塑性エラストマ、ウレタン系熱可塑性エラストマ（ＴＰＵ）、水素添加スチレンブタジエンラバー（ＨＳＢＲ）等）、及び、これらの混合物などの軟質系樹脂が挙げられる。又、前記混合物の例としては、ポリエチレン樹脂とエチレン酢酸ビニル樹脂（ＥＶＡ樹脂）とからなるコポリマー樹脂が挙げられる。
【００１８】
その中でも、本実施例において凸部２を構成する合成樹脂は、凹部１を構成する合成樹脂と融着可能な合成樹脂が好ましい。これにより、凹部１及び凸部２を構成する合成樹脂を融着することが可能となり、製造工程を簡略化できる。融着可能な合成樹脂の好ましい組み合わせとしては、例えば、軟質塩化ビニル樹脂同士が挙げられる。
【００１９】
又、これら合成樹脂の中でも可撓性ホースＨに成形後の合成樹脂のショア硬度（ＨＳ硬度）（ＪＩＳ  Ｋ  ６２５３）が８０〜１００度の合成樹脂を使用して凸部２を構成することがより好ましい。これにより、可撓性ホースＨの接触抵抗を減少できるため、可撓性ホースＨのすべり性が向上する。
【００２０】
（潤滑剤）
本実施例において用いられる潤滑剤は、前記合成樹脂に混合可能である限り任意のものが使用可能である。例えば、炭酸カルシウムやシリコーンが挙げられる。
【００２１】
又、本実施例において、凸部２の頂部３を構成する合成樹脂に混合可能な潤滑剤としては、例えば、炭酸カルシウムやシリコーンが挙げられる。
【００２２】
凹部１及び凸部２の原材料である合成樹脂に潤滑剤を含有させることにより、潤滑剤が成形された可撓性ホースＨの表面に浸出する。この結果、可撓性ホースＨのすべり性が向上する。同時に、前記合成樹脂に潤滑剤を含有させることにより、成形された可撓性ホースＨの表面が粗くなり接触面積が減少する。接触面積が減少した結果、接触抵抗が減少して可撓性ホースＨのすべり性を向上させることが可能となる。
【００２３】
又、本実施例において、可撓性ホースＨの使用時に床面、壁面、家具の表面等との接触可能性が高い凸部２の頂部３に潤滑剤を含有させることが好ましい。これにより、頂部３に効率的に潤滑剤を浸出させること、及び、頂部３に表面を粗くすることが可能となる。
【００２４】
そして、本実施例において、凸部２の頂部３を構成する合成樹脂の硬度を凹部１を構成する軟質性合成樹脂の硬度よりも大きくすると共に、凹部１と凸部２とを交互に配置することが好ましい。これにより、可撓性ホースＨに要求される可撓性と可撓性ホースＨを使用する際に要求されるすべり性の両方を効率的に備えることが可能となる。
【００２５】
この例として、凹部１を構成する合成樹脂は、ショア硬度（ＨＳ硬度）（ＪＩＳ  Ｋ  ６２５３）が５０〜７０度の軟質塩化ビニル樹脂とし、凸部２の頂部３を構成する合成樹脂は、ショア硬度（ＨＳ硬度）が８０〜１００度の軟質塩化ビニル樹脂とした組み合わせが挙げられる。
【００２６】
特に、本実施例において、凸部２の頂部３を構成する合成樹脂の硬度を凹部１を構成する合成樹脂の硬度よりも硬くすると共に、凸部２の頂部３を構成する合成樹脂に潤滑剤を含有させて、凹部１と凸部２とを交互に配置することが好ましい。これにより、可撓性ホースＨに要求される可撓性と可撓性ホースＨを使用する際に要求されるすべり性の両方を容易に兼ね備えることが可能となる。更に、凸部２の頂部３の硬度を大きくすることで、可撓性ホースＨの耐磨耗性も向上する。そして、これら合成樹脂の使用部位を限定して使用量を抑えることにより製造コストの削減が可能となる。
【００２７】
この例として、凹部１を構成する合成樹脂は、ショア硬度（ＨＳ硬度）（ＪＩＳ  Ｋ  ６２５３）が５０〜７０度の軟質塩化ビニル樹脂とし、凸部２の頂部３を構成する合成樹脂は、潤滑剤として炭酸カルシウムやシリコーンを含有させたショア硬度（ＨＳ硬度）が８０〜１００度の高摺動ポリエチレン樹脂とした組み合わせが挙げられる。
【００２８】
この組み合わせは、撓み性を有しかつ安価である軟質塩化ビニル樹脂の特徴、並びに、すべり性を有するが高価である高摺動ポリエチレン樹脂の特徴の双方の長所を生かしつつ、更に製造コストの削減を図ったものである。
【００２９】
（製造方法）
次に、本実施例に係る可撓性ホースＨの製造方法について説明する。可撓性ホースＨは公知の押出成形法、例えば、いわゆるスパイラル成形法により製造することができる。
【００３０】
即ち、ホース（管状体）壁の凹部１を構成する帯状体等の所定形状に形成された合成樹脂を、断面形状が略板状形状で押出機から半溶融状態で押し出して帯状体とする。又、ホース（管状体）壁の外周面の凸部２を構成する小帯状体等の所定形状に形成された合成樹脂を、断面形状が略板状形状で押出機から半溶融状態で押し出して小帯状体とする。
【００３１】
そして、押し出された帯状体と小帯状体を公知の成形軸に捲回してホース（管状体）壁とする。即ち、捲回された状態において互いに隣接する側縁部が互いに重ね合わせられる様に、小帯状体が添着した帯状体を同心軸上に捲回、若しくは、螺旋状に捲回する。更に、重ね合わせた部分を融着して、若しくは、接着剤（好ましくは熱可塑性接着剤）で接着して一体化する。最後に、ホース（管状体）を冷却することにより、帯状体の断面形状を固定すると共に帯状体側縁部の接着処理を完了させて、凹凸が連続する形状に形成されたホース（管状体）壁として、ホースが不定長に製造される。
【００３２】
合成樹脂は螺旋状に捲回することで、製造速度（生産性）が向上して、製造コストの低下が可能となる。このため、合成樹脂は螺旋状に捲回することが好ましい。又、前記帯状体の幅、前記小帯状体の幅、及び、前記帯状体に添着させる前記小帯状体の数は適宜選択可能である。更に、前記小帯状体の一部分である幅方向の略中央部等の樹脂の材質を変更してもよい。
【００３３】
本実施例に係る可撓性ホースＨの内周面に電線１１や硬鋼線１２等を備える場合は、電線１１や硬鋼線１２等を公知の成形軸に捲回した後所定の間隔を保持しつつ、電線１１や硬鋼線１２等の上に凸部２が配置されるように合成樹脂を前記公知の成形軸に捲回してホース（管状体）壁を構成するのが好ましい。又、合成樹脂は前記公知の成形軸に螺旋状に捲回することが好ましい。この際、電線１１等の上面に接着剤を塗布して前記合成樹脂に接着してもよい。
【００３４】
これにより、可撓性ホースＨの内周面を平滑にすることが可能となる。又、凸部２、電線１１及び硬鋼線１２等の配置を柔軟に調整することが可能となる。
【００３５】
なお、本実施例に係る可撓性ホースＨ（凹凸のあるホース、ベローズホース）の製造方法について、帯状の合成樹脂部材を螺旋状に捲回する方法を例示したが、この方法の他、凹凸のないホースに対して、押し型を押し付けることで、事後的にホースに環状又は螺旋状の凹凸を形成することも可能である。
【００３６】
（構造）
更に、本実施例に係る可撓性ホースＨの構造として、図２において、図１の破線に囲まれた部分の可撓性ホースＨの拡大断面図を示す。又、図３において、本実施例に係る可撓性ホースＨの（ａ）側面図、及び、（ｂ）断面図を示す。図４において、本実施例に係る可撓性ホースＨの変形例の（ａ）側面図、及び、（ｂ）断面図を示す。
【００３７】
前記合成樹脂を用いて前記製造方法により製造される、本実施例に係る可撓性ホースＨは、図１ないし図４に示す様に、帯状体等の所定形状の合成樹脂を成形した凹部１とこの帯状体等の所定形状の合成樹脂に添着する小帯状体等の所定形状の合成樹脂を成形した凸部２からなる。
【００３８】
凸部２は、潤滑剤を含有した合成樹脂からなることが好ましい。これにより、可撓性ホースＨのすべり性を向上させることが可能となる。又、図２に示す様に、凸部２の頂部３は潤滑剤を含有した合成樹脂からなることがより好ましい。ここで凸部２の頂部３とは、本実施例では例えば、可撓性ホースＨの最外径部を中心とした凸部２の最大幅の２０〜８０％の範囲を指す。これにより、潤滑剤を含有した合成樹脂の使用量を減少させつつ、可撓性ホースＨのすべり性を向上させることが可能となる。
【００３９】
凸部２の配置は図３に示す様に螺旋状でもよく、又、図４に示す様に可撓性ホースＨの中心軸と略同心の環状であってもよい。
【００４０】
凸部２の幅及び凸部２相互の間隔は可撓性ホースＨに必要とされる可撓性、強度、及び、内包する電線の本数等に合わせて適宜選択することが可能である。凸部２の可撓性ホースＨの中心軸に対する角度も必要とされる可撓性及び強度に合わせて適宜選択することが可能である。更に、可撓性ホースＨの単位長さあたりの凸部２の本数も可撓性ホースＨの成形速度及び内包する電線の本数に合わせて適宜選択することが可能である。
【００４１】
更に、可撓性ホースＨの内周面には硬鋼線１２、硬鋼線１２を被覆材１３で被覆した電線１１、銅撚り線、若しくは、線状の硬質合成樹脂を１つ以上存在していてもよく、その位置は図２に示す様に螺旋状の凸部２の内周面側が好ましい。電線１１等を凸部２の内周面側に内包することによって、可撓性ホースＨの内周面を平滑にすることが可能となる。その結果、例えば、可撓性ホースＨを電気掃除機の吸引ホースに使用した場合は吸気抵抗が小さくなり、真空掃除機の吸引ホースに使用した場合は、吸気抵抗及び吸水抵抗が小さくなる。この様に、可撓性ホースＨはその使用された機器の性能向上に寄与する。
【００４２】
可撓性ホースＨの内周面に硬鋼線１２等を備えることで、可撓性ホースＨがつぶれ難くなる。硬鋼線１２に替えてステンレス鋼線等その他の鋼硬質の金属線材を使用してもよい。又、硬鋼線１２の表面に銅鍍金或いは青銅鍍金を施してもよい。これにより、硬鋼線１２の通電性能の向上を図ることができると共に、端子等の半田付けが容易になる。
【００４３】
そして、硬鋼線１２の替わりに電線１１を備えてもよい。電線１１を備える可撓性ホースＨが電気掃除機Ｃのホース体２２に使用されることにより、可撓性ホースＨがつぶれ難くなる。同時に、電気掃除機本体２１と操作部２３の間に制御用電気回路及び駆動用電気回路を構成することが可能となる。これにより、電気掃除機Ｃの電源操作等の制御が使用者の手元の操作部２３に備えるスイッチにより可能となる。
【００４４】
電線１１の本数は、例えば、制御用回路のみの場合は５Ｖとグランドの２本、制御用回路及び駆動用回路両方の場合は１００Ｖないし２４０Ｖ、５Ｖとグランド１本若しくは２本の合計３本若しくは４本とすることが考えられる。更に、別の駆動用回路を追加して合計４本ないし６本とすることも考えられるが、これら本数に限られるものではない。又、電線１１は、これら電圧に限られること無く適宜必要な電圧及び電流に耐えられる電線を使用することが可能である。
【００４５】
本実施例に係る可撓性ホースＨの効果を発揮する使用例として、図５Ａに本実施例に係る可撓性ホースＨを備えた電気掃除機Ｃを、図５Ｂに本実施例に係る可撓性ホースＨを備えたホース体２２を示す。又、本実施例に係る可撓性ホースＨを使用した電気掃除機Ｃの使用状態の模式図を図６ないし図１０に示す。
【００４６】
本実施例に係る可撓性ホースＨは、図５Ａに示す様に電気掃除機Ｃの吸引ホースに使用することができる。具体的には、可撓性ホースＨは、図５Ｂに示す様に、吸口体３１若しくは延長管２５が接続される操作部２３を一端に備え、電気掃除機本体２１との接続に使用する接続部２４を他端に備えるホース体２２の主要部分である吸引ホースに使用可能である。接続部２４及び操作部２３には制御用回路及び駆動用回路を構成する電線１１に繋がる接続端子を備えていてもよい。
【００４７】
この電気掃除機Ｃは、すべり性を向上させて接触や摩擦による抵抗を軽減した本実施例に係る可撓性ホースＨを備えている。このため、図６に示す様に、家具の周囲や柱の周囲を電気掃除機Ｃで掃除してホース体２２がこれらと接触する場合であっても、可撓性ホースＨが備えるすべり性により従来よりも接触抵抗は少なく電気掃除機Ｃの軽快な動作が可能となる。
【００４８】
併せて、図３に示す様に、可撓性ホースＨの凸部２が螺旋状に形成されている場合は、図６に示す様に、電気掃除機Ｃが家具や柱の角により引っかかり難くなる。
【００４９】
又、図７に示す様に、複数の屈曲部及び管体から構成される吸口と接続部を略同一方向に向けることが可能な吸口体３３を操作部２３の先に接続して家具の天板を掃除する場合には、ホース体２２の可撓性ホースＨが天板の淵に接触しても、可撓性ホースＨが備えるすべり性により可撓性ホースＨの接触抵抗は少なく吸口体３３及び電気掃除機Ｃの軽快な動作が保たれる。
【００５０】
更に、図８に示す様に、回転軸に沿って回転するブラシを有する吸口体３４を操作部２３の先に接続して机の上等を掃除する場合には、ホース体２２の可撓性ホースＨが天板の淵に接触しても、可撓性ホースＨが備えるすべり性により可撓性ホースＨの接触抵抗は少なく吸口体３４及び電気掃除機Ｃの軽快な動作が保たれる。
【００５１】
同様に、図９に示す様に、吸口の形状が細長い長方形等の隙間用の吸口体３５を操作部２３の先に接続して机の天板等を掃除する場合には、ホース体２２の可撓性ホースＨが天板の淵に接触しても、可撓性ホースＨが備えるすべり性により可撓性ホースＨの接触抵抗は少なく吸口体３５及び電気掃除機Ｃの軽快な動作が保たれる。
【００５２】
そして、図１０に示す様に、部屋の四隅や、床若しくは絨毯Ｆと家具の境目などの床面等を掃除する場合は、ホース体２２を床面や絨毯上に這わせることになる。この様な電気掃除機Ｃのホース体２２が床面、絨毯Ｆ、及び、壁面等と接触する場合であっても、可撓性ホースＨは従来のホースよりも接触面積が小さくすべり性が向上しているため、ホース体に接続された吸口体等を含めた電気掃除機Ｃの取り扱いに必要な力が軽減して、軽快かつ快適な電気掃除機Ｃの操作が可能となる。
【００５３】
なお、本実施例に係る可撓性ホースＨは、電気掃除機のホース体２２としての使用に限られず、洗濯機の排水用ホース、庭等の散水用ホース、各種容器のノズル、配管及びダクトの折れ曲がり部等可撓性を必要とするものに使用が可能である。更に、本実施例に係る可撓性ホースＨは、同心円状に二重三重等に重ね合わせての使用も可能である。
【００５４】
上述した実施例を更に改善すべく、ホース体２２を改良した構造を図１１から図１３を用いて説明する。図１１に示すホース体２２は、両端に備えた操作部２３および掃除機本体との接続部２４に接続管４１、４３を設けている。接続管端部４２、４４は、可撓性ホースＨに向かって細くなるテーパー形状としており、操作部２３および掃除機本体との接続部２４の外径よりも可撓性ホースＨの外径を細くしているので、可撓性ホースＨと床面との間に所定の隙間Ｌが生じる。これにより床面と接触する頻度が低減できると共に、床面と接触した場合でも接触抵抗を低減できるので掃除機の使い勝手が向上する。
【００５５】
以上の実施例では図１３に示すように家具や壁のコーナー部分と接触した場合でも、可撓性ホースＨの表面が滑るため、ひっかかることが少ない。更に接続部２４の接続管端部４４が可撓性ホースＨに向かって細くなるテーパー形状としているので、ホース表面を滑った家具や壁のコーナー部分が、このテーパー形状によって、ひっかかることなくホース体２２を移動できる。これにより家具や壁にひっかかる頻度が低減できると共に、家具や壁にひっかかった場合でもテーパー形状に沿ってスムーズにホース体を移動できるので掃除機の使い勝手が向上する。
【００５６】
また、図１１において手元の操作部２３の管路中心と可撓性ホースＨの管路中心と接続管４１、４３の管路中心と接続部２４の管路中心が全て一直線上になっている。これにより、テーブルや家具のコーナーなどへの引っ掛かりを極力低減することができる。更に、接続管４３は可撓性ホースＨと一体的に掃除機本体との接続部２４に対して回転可能となっているので可撓性ホースＨがテーブルや家具のコーナーなどへ引っ掛かりそうな場合、可撓性ホースＨの表面が滑りやすくなっているので、滑って引っ掛かりを低減できると共に、可撓性ホースＨが回転できるので螺旋状に凹凸を構成したホース表面の場合、この螺旋に沿って引っ掛かりが移動（ホースが回転）できるので引っ掛かりから離脱しやすい。また、各管路の中心を一直線上にしているので回転するホースが３６０°何れの位置にあっても床面と可撓性ホースＨの段差Ｌが一定であるので、前述した引っ掛かりを防止する効果が３６０°の範囲で均一に発揮できる。なお、図１１では床面と可撓性ホースＨの段差をＬと表現したが、これは家具や階段やテーブルでも同様に段差の効果が発揮できる。
【００５７】
以上、述べたように電気掃除機のホースが家具や階段に引っ掛かる頻度を低減し、床面やテーブルなどに接触する頻度が低減できるので非常に使い勝手の良い掃除機を提供することができる。また、軟質材料からなる可撓性ホースが家具や階段や床やテーブルと接触する頻度を軽減できるため、可撓性ホースの表面破れに対する耐久性を向上することができる。
【符号の説明】
【００５８】
１  凹部
２  凸部
３  頂部
１１  電線
１２  硬鋼線
１３  被覆材
２１  電気掃除機本体
２２  ホース体
２３  操作部
２４  接続部
２５  延長管
３１、３２、３３、３４、３５  吸口体
４１、４３  接続管
４２、４４  接続管端部
Ｃ  電気掃除機
Ｈ  可撓性ホース
Ｌ  可撓性ホースと床面との隙間
【図１】
2013233368.tif 000003
【図２】
2013233368.tif 000004
【図３】
2013233368.tif 000005
【図４】
2013233368.tif 000006
【図５Ａ】
2013233368.tif 000007
【図５Ｂ】
2013233368.tif 000008
【図６】
2013233368.tif 000009
【図７】
2013233368.tif 000010
【図８】
2013233368.tif 000011
【図９】
2013233368.tif 000012
【図１０】
2013233368.tif 000013
【図１１】
2013233368.tif 000014
【図１２】
2013233368.tif 000015
【図１３】
2013233368.tif 000016